(57)【特許請求の範囲】
【請求項１】
上部に開口部が設けられる有底筒状の内鍋と、
前記内鍋を収納する本体と、
前記本体に回動自在に取り付けられる蓋体と、
前記蓋体の内面に取り付けられる内蓋と、を備え、
前記内蓋は、
前記本体側に突出すると共に回動自在に構成されたフック部を有する第１の内蓋と、
前記フック部と係合することで前記第１の内蓋よりも前記本体側に位置するように前記第１の内蓋に取り付けられる第２の内蓋と、を有し、
前記第２の内蓋が前記第１の内蓋に取り付けられていない状態で前記蓋体が前記蓋体の開放状態を基準として前記本体を閉塞する方向に第１角度回動した場合に、前記フック部が前記内鍋に当接して前記蓋体の回動が規制される
ことを特徴とする炊飯器。
【請求項２】
前記フック部は、
前記第２の内蓋が前記第１の内蓋に取り付けられている状態で変位すると前記第２の内蓋が前記第１の内蓋から取り外されるように機能する
ことを特徴とする請求項１に記載の炊飯器。
【請求項３】
前記フック部は、
前記第２の内蓋が前記第１の内蓋に取り付けられている状態で回動すると前記第２の内蓋が前記第１の内蓋から取り外されるように機能する
ことを特徴とする請求項２に記載の炊飯器。
【請求項４】
上部に開口部が設けられる有底筒状の内鍋と、
前記内鍋を収納する本体と、
前記本体に回動自在に取り付けられる蓋体と、
前記蓋体の内面に取り付けられる内蓋と、を備え、
前記内蓋は、
前記本体側に突出するフック部を有する第１の内蓋と、
前記フック部と係合することで前記第１の内蓋よりも前記本体側に位置するように前記第１の内蓋に取り付けられる第２の内蓋と、を有し、
前記フック部は、
前記第１の内蓋の下面において前記第１の内蓋の前後方向に移動自在に設けられ、前記第２の内蓋が前記第１の内蓋に取り付けられている状態で基準量だけ前記内蓋の後方に変位すると前記第２の内蓋が前記第１の内蓋から取り外されるように機能し、
前記第２の内蓋が前記第１の内蓋に取り付けられていない状態で前記蓋体が前記蓋体の開放状態を基準として前記本体を閉塞する方向に第１角度回動した場合に、前記フック部が前記内鍋に当接して前記蓋体の回動が規制される
ことを特徴とする炊飯器。
【請求項５】
前記第２の内蓋が前記第１の内蓋に取り付けられている状態で前記蓋体が前記蓋体の開放状態を基準として前記第１角度よりも大きい第２角度回動した場合に、前記蓋体が前記本体を覆う
ことを特徴とする請求項１〜請求項４の何れか一項に記載の炊飯器。
【請求項６】
前記第２の内蓋は、
前記フック部と係合する持ち手部を有する
ことを特徴とする請求項１〜請求項４の何れか一項に記載の炊飯器。
【請求項７】
前記持ち手部は、
前記第２の内蓋が前記第１の内蓋に取り付けられている状態で変位すると前記第２の内蓋が前記第１の内蓋から取り外されるように機能する
ことを特徴とする請求項６に記載の炊飯器。
【請求項８】
前記第１の内蓋の下面には、
該第１の内蓋に前記第２の内蓋を取り付けることを促す第１表示部が設けられている
ことを特徴とする請求項１〜請求項７の何れか一項に記載の炊飯器。
【請求項９】
前記第２の内蓋の下面には、
前記持ち手部の操作方向を示す第２表示部が設けられている
ことを特徴とする請求項６又は請求項６に従属する請求項７〜請求項８の何れか一項に記載の炊飯器。
【請求項１０】
前記第２の内蓋の下面には、
前記フック部の操作方向を示す第３表示部が設けられている
ことを特徴とする請求項６又は請求項６に従属する請求項７〜請求項９の何れか一項に記載の炊飯器。
【発明の詳細な説明】
【技術分野】
【０００１】
本発明は、炊飯器に関する。
【背景技術】
【０００２】
従来、炊飯器として、例えば、外蓋（蓋体）と、内蓋（第１の内蓋）と、内蓋の下面に設けられる結露受け皿（第２の内蓋）と、を備えた炊飯器があった（例えば、特許文献１参照）。特許文献１に記載の炊飯器においては、結露受け皿が炊飯開始後に生じた結露水を受けるようになっている。
【先行技術文献】
【特許文献】
【０００３】
【特許文献１】特許第４９６１３８７号公報
【発明の概要】
【発明が解決しようとする課題】
【０００４】
しかしながら、特許文献１に記載の炊飯器においては、結露受け皿が内蓋に取り付けられていない状態においても、内蓋が本体を覆って炊飯を開始することができる構造となっている。このため、特許文献１に記載の炊飯器においては、結露受け皿が内蓋に取り付けられていない状態で炊飯を開始した場合に、炊飯することで生じた結露水が被加熱物に滴下するという課題があった。
【０００５】
本発明は、上述のような課題を背景としてなされたものであり、炊飯することで生じた結露水が被加熱物に滴下することを抑制する炊飯器を提供することを目的としている。
【課題を解決するための手段】
【０００６】
本発明の炊飯器は、上部に開口部が設けられる有底筒状の内鍋と、前記内鍋を収納する本体と、前記本体に回動自在に取り付けられる蓋体と、前記蓋体の内面に取り付けられる内蓋と、を備え、前記内蓋は、前記本体側に突出すると共に回動自在に構成されたフック部を有する第１の内蓋と、前記フック部と係合することで前記第１の内蓋よりも前記本体側に位置するように前記第１の内蓋に取り付けられる第２の内蓋と、を有し、前記第２の内蓋が前記第１の内蓋に取り付けられていない状態で前記蓋体が前記蓋体の開放状態を基準として前記本体を閉塞する方向に第１角度回動した場合に、前記フック部が前記内鍋に当接して前記蓋体の回動が規制されるものである。
【発明の効果】
【０００７】
本発明の炊飯器は、第２の内蓋が第１の内蓋に取り付けられていない状態で蓋体が蓋体の開放状態を基準として本体を閉塞する方向に第１角度回動した場合に、フック部が本体の一部に当接して蓋体の回動が規制されるものである。このため、第２の内蓋が第１の内蓋に取り付けられていない状態で使用者が炊飯を開始する可能性を低減することができる。したがって、炊飯することで生じた結露水が被加熱物に滴下することを抑制することができる。
【図面の簡単な説明】
【０００８】
【図１】本発明の実施の形態１に係る炊飯器１００の斜視図である。
【図２】図１のＸ−Ｘ縦断面図である。
【図３】本発明の実施の形態１に係る炊飯器１００の斜視図であり、蓋体２が開放された状態を示している。
【図４】本発明の実施の形態１に係る炊飯器１００の蓋体２及び第１の内蓋２１の斜視図である。
【図５】本発明の実施の形態１に係る炊飯器１００の蓋体２及び第１の内蓋２１の分解斜視図である。
【図６】本発明の実施の形態１に係る炊飯器１００の第２の内蓋２２の分解斜視図である。
【図７】本発明の実施の形態１に係る炊飯器１００の第２の内蓋２２の分解斜視図である。
【図８】本発明の実施の形態１に係る炊飯器１００の第２の内蓋２２の分解斜視図である。
【図９】本発明の実施の形態１に係る炊飯器１００の縦断面図であり、第２の内蓋２２が第１の内蓋２１に取り付けられている状態を示している。
【図１０】本発明の実施の形態１に係る炊飯器１００の縦断面図であり、第２の内蓋２２が第１の内蓋２１に取り付けられていない状態を示している。
【図１１】本発明の実施の形態１に係る炊飯器１００の第１の内蓋２１と第２の内蓋２２との位置関係を示す図である。
【図１２】本発明の実施の形態１に係る炊飯器１００の第１の内蓋２１と第２の内蓋２２との位置関係を示す図である。
【図１３】本発明の実施の形態１に係る炊飯器１００の第１の内蓋２１と第２の内蓋２２との位置関係を示す図である。
【図１４】本発明の実施の形態２に係る炊飯器１００の第１の内蓋２１と第２の内蓋２２との位置関係を示す図である。
【図１５】本発明の実施の形態２に係る炊飯器１００の第１の内蓋２１と第２の内蓋２２との位置関係を示す図である。
【図１６】本発明の実施の形態２に係る炊飯器１００の第１の内蓋２１と第２の内蓋２２との位置関係を示す図である。
【図１７】本発明の実施の形態３に係る炊飯器１００の第１の内蓋２１と第２の内蓋２２との位置関係を示す図である。
【図１８】本発明の実施の形態３に係る炊飯器１００の第１の内蓋２１と第２の内蓋２２との位置関係を示す図である。
【図１９】本発明の実施の形態３に係る炊飯器１００の第１の内蓋２１と第２の内蓋２２との位置関係を示す図である。
【発明を実施するための形態】
【０００９】
以下、本発明の炊飯器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る炊飯器１００の斜視図である。図２は図１のＸ−Ｘ縦断面図である。図３は本発明の実施の形態１に係る炊飯器１００の斜視図であり、蓋体２が開放された状態を示している。
【００１１】
図１，図２に示されるように、炊飯器１００は、本体１と、本体１の上部に開閉自在に取り付けられる蓋体２と、を備える。本体１の前面には蓋開閉ボタン８が設けられている。なお、図１の実線両矢印方向が本体１の左右方向であるものとする。また、図１の破線両矢印方向が本体１の前後方向であるものとする。なお、以後の説明において単に「回動」と記載する場合には、蓋体２が本体１を閉塞する方向に蓋体２を変位させることを指すものとする。
【００１２】
蓋開閉ボタン８は、例えば、本体１の前面側から背面側に向かう力が加えられることで蓋体２が開放されるように構成されている。例えば、図１，図２に示される状態で、蓋開閉ボタン８に対して本体１の前面側から背面側に向かう力が加えられることで、蓋体２が開放して図３に示されるような状態となる。
【００１３】
図３に示されるように、本体１は上面が開口した形状を有するものである。本体１には内鍋１１が収納される。内鍋１１は、上部に開口部１１Ａを有する略有底筒状の部材である。内鍋１１には、例えば米等の被加熱物が投入される。内鍋１１の開口部１１Ａの周縁には内鍋フランジ１１ａが設けられている。内鍋フランジ１１ａは、開口部１１Ａの開口縁から周方向外側に延設される部位である。
【００１４】
図３に示されるように、蓋体２には第１の内蓋２１が取り付けられている。第１の内蓋２１は、本体１側に突出するフック部２１ａを有する部材である。第１の内蓋２１には第２の内蓋２２が取り付けられている。第２の内蓋２２は、炊飯により生じた結露水を受けるように機能する部材である。第２の内蓋２２は、第１の内蓋２１よりも本体１側に位置するように第１の内蓋２１に取り付けられている。なお、蓋体２と第１の内蓋２１とは一体として構成されていてもよいし別体として構成されていてもよい。以後の説明において、第１の内蓋２１と第２の内蓋２２とを合わせて内蓋２３と称することがある。
【００１５】
フック部２１ａは、第１の内蓋２１の下面から本体１側に突出する部位であり、例えば、回動自在に構成されている。フック部２１ａは、第２の内蓋２２が第１の内蓋２１に取り付けられている状態と、第２の内蓋２２が第１の内蓋２１に取り付けられていない状態と、で異なる場所に位置している。
【００１６】
なお、「第１の内蓋２１の上面」とは、例えば図２において、第１の内蓋２１よりも紙面上側の面を指すものとする。
また、「第１の内蓋２１の下面」とは、例えば図２において、第１の内蓋２１よりも紙面下側の面を指すものとする。
また、「第２の内蓋２２の上面」とは、例えば図２において、第２の内蓋２２よりも紙面上側の面を指すものとする。
また、「第２の内蓋２２の下面」とは、例えば図２において、第２の内蓋２２よりも紙面下側の面を指すものとする。
【００１７】
また、「第１の内蓋２１の前方」とは、例えば図２において、第１の内蓋２１よりも紙面左側を指すものとする。
また、「第１の内蓋２１の後方」とは、例えば図２において、第１の内蓋２１よりも紙面右側を指すものとする。
また、「第２の内蓋２２の前方」とは、例えば図２において、第２の内蓋２２よりも紙面左側を指すものとする。
また、「第２の内蓋２２の後方」とは、例えば図２において、第２の内蓋２２よりも紙面右側を指すものとする。
【００１８】
図４は本発明の実施の形態１に係る炊飯器１００の蓋体２及び第１の内蓋２１の斜視図である。図５は本発明の実施の形態１に係る炊飯器１００の蓋体２及び第１の内蓋２１の分解斜視図である。
【００１９】
図４に示されるように、蓋体２には第１の内蓋２１が設けられている。図５に示されるように、第１の内蓋２１は、フック部２１ａに加えて、レバー押さえ２１１と、弾性体２１２と、台座２１３と、シールパッキン２１４と、を備えている。
【００２０】
フック部２１ａは、第１の内蓋２１の下方に突出するレバー部２１Ａを有する。レバー押さえ２１１は、フック部２１ａを支持する部材である。弾性体２１２は、レバー部２１Ａの先端を第１の内蓋２１の外側の径方向に付勢して回動させるための部材である。台座２１３は、弾性体２１２を支持する部材である。シールパッキン２１４は、台座２１３と第１の内蓋２１の下面との間に設けられる部材である。第２の内蓋ホルダー２１５は、第２の内蓋２２が第１の内蓋２１に取り付けられた場合において第２の内蓋２２を保持する部材である。
【００２１】
なお、図４には示していないが、第１の内蓋２１の下面には、第１の内蓋２１に第２の内蓋２２を取り付けることを促す表示部４０が設けられていることが望ましい。表示部４０は、例えば、文字である。このように表示部４０を設けることで、第２の内蓋２２が第１の内蓋２１に取り付けられていない状態で使用者が炊飯を開始する可能性を低減することができる。したがって、炊飯することで生じた結露水が被加熱物に滴下することを抑制することができる。なお、表示部４０が、本発明における第１表示部に相当する。
【００２２】
図６は本発明の実施の形態１に係る炊飯器１００の第２の内蓋２２の分解斜視図である。図７は本発明の実施の形態１に係る炊飯器１００の第２の内蓋２２の分解斜視図である。図８は本発明の実施の形態１に係る炊飯器１００の第２の内蓋２２の分解斜視図である。
【００２３】
図６に示されるように、第２の内蓋２２は、立ち上がり部２２Ａと、バルブ２２１と、第２の内蓋リング２２２と、挿入部２２３と、を備える。第２の内蓋２２は、上面の周囲から立ち上がる立ち上がり部２２Ａを有する。これにより、第１の内蓋２１の下面に付着した結露水のうち第２の内蓋２２の上面で受けた結露水が滴下する可能性を低減することができる。バルブ２２１は、炊飯器１００の内部の圧力を調整するための部材である。第２の内蓋リング２２２は、第２の内蓋２２の外周のうち第２の内蓋２２の前方に設けられる部材である。挿入部２２３は、第２の内蓋ホルダー２１５に挿入される部位である。図６に示される第２の内蓋２２が第１の内蓋２１が取り付けられると、図７，図８に示されるような状態となる。
【００２４】
図８に示されるように、例えば、持ち手部２２ａの内面には表示部５０が設けられている。表示部５０は、例えば、「手前に引く」という文言が表示されたものであり、持ち手部２２ａの操作方向を示すものである。なお、表示部５０の具体的な文言はこれに限定されるものではなく、使用者に対して持ち手部２２ａの蓋体２の後方から前方に力を加えることを促すような文言が表示されていればよい。なお、このような表示部５０が、本発明における第２表示部に相当する。
【００２５】
また、表示部５０の具体的な表示は文言であることに限定されるものではなく、例えば、表示部５０の具体的な表示が矢印で表示されていてもよい。具体的には例えば、持ち手部２２ａを引く方向に向かう片矢印、すなわち図８の紙面左側から紙面右側に向かう片矢印を表示してもよい。また、表示部５０が表示される部分は、持ち手部２２ａに設けられることに限定されるものではなく、持ち手部２２ａの周辺に設けられるようになっていてもよい。第２の内蓋２２が第１の内蓋２１に取り付けられた状態で、第２の内蓋２２を第１の内蓋２１から取り外すために持ち手部２２ａを引く方向を使用者が認識できればよい。
【００２６】
また、表示部５０は、例えば、「フック部を内側に引く」という文言が表示されたものであり、フック部２１ａの操作方向を示すものである。なお、表示部５０の具体的な文言はこれに限定されるものではなく、使用者に対してフック部２１ａを第２の内蓋２２の中心方向に力を加えることを促すような文言が表示されていればよい。
また、表示部５０は、「フック部を内側に引き持ち手部を手前に引く」と言う文言が表示されたものであり、フック部２１ａ及び持ち手部２２ａの操作方法を示すものでもよい。なお、表示部５０の具体的な文言はこれに限定されるものではなく、使用者に対してフック部２１ａと持ち手部２２ａの操作を促すような文言が表示されていればよい。なお、このような表示部５０が、本発明における第３表示部に相当する。
【００２７】
図９は本発明の実施の形態１に係る炊飯器１００の縦断面図であり、第２の内蓋２２が第１の内蓋２１に取り付けられている状態を示している。図１０は本発明の実施の形態１に係る炊飯器１００の縦断面図であり、第２の内蓋２２が第１の内蓋２１に取り付けられていない状態を示している。
【００２８】
図９に示されるように、レバー部２１Ａは、第２の内蓋２２が第１の内蓋２１に取り付けられている状態において、第２の内蓋２２が第１の内蓋２１に取り付けられていない状態よりも本体１の後方に位置し、蓋体２が本体１を閉塞することを妨げない。このため、第１係合部２１ａ１と第２係合部２２ａ１とが係合して、蓋体２は本体１を閉塞する。
【００２９】
図１０に示されるように、レバー部２１Ａは、第２の内蓋２２が第１の内蓋２１に取り付けられていない状態において、第２の内蓋２２が第１の内蓋２１に取り付けられている状態よりも本体１の前方に位置し、レバー部２１Ａの先端が内鍋１１の上端と当接して、蓋体２が本体１を閉塞することを妨げる。
【００３０】
以上のことから、第２の内蓋２２が第１の内蓋２１に取り付けられていない状態で蓋体２が蓋体２の開放状態（図３に示すように、蓋体２のフック部２１ａ側がほぼ垂直に立つように開放する状態）を基準として第１角度回動した場合に、フック部２１ａが本体１の一部に当接して蓋体２の回動が規制される。一方で、第２の内蓋２２が第１の内蓋２１に取り付けられている状態で蓋体２が蓋体２の開放状態を基準として第１角度よりも大きい第２角度回動した場合に、蓋体２が本体１を覆う。ここで第１角度とは、例えば、図１０に示されるように蓋体２が蓋体２の開放状態を基準として回動した場合の角度であり、第２角度とは、例えば、図２に示されるように蓋体２が蓋体２の開放状態を基準として蓋体２が回動した場合の角度である。
【００３１】
図１１は本発明の実施の形態１に係る炊飯器１００の第１の内蓋２１と第２の内蓋２２との位置関係を示す図である。図１２は本発明の実施の形態１に係る炊飯器１００の第１の内蓋２１と第２の内蓋２２との位置関係を示す図である。図１３は本発明の実施の形態１に係る炊飯器１００の第１の内蓋２１と第２の内蓋２２との位置関係を示す図である。
【００３２】
図１１〜図１３の紙面上方向が蓋体２の下方を示し、図１１〜図１３の紙面下方向が蓋体２の上方を示し、図１１〜図１３の紙面左方向が蓋体２の後方を示し、図１１〜図１３の紙面右方向が蓋体２の前方を示し、このことは以後に説明する図１４〜図１９においても同様である。
【００３３】
図１１に示されるように、フック部２１ａは第１係合部２１ａ１及び第１傾斜部２１ａ２を有する部材であり、例えば、側面視して略Ｕ字形状となるように構成されている。持ち手部２２ａは第２係合部２２ａ１及び第２傾斜部２２ａ２を有する部材であり、例えば、側面視して略Ｕ字形状となるように構成されている。第１係合部２１ａ１は第２係合部２２ａ１と係合する部位である。第１傾斜部２１ａ２は、紙面左方向に向かって紙面下方向に傾斜する部位である。第２係合部２２ａ１は第１係合部２１ａ１と係合する部位である。第２傾斜部２２ａ２は、紙面左方向に向かって紙面下方向に傾斜する部位である。
【００３４】
以下に、本実施の形態１に係る炊飯器１００の動作例について説明する。
まず、第１の内蓋２１が蓋体２に取り付けられた状態で、例えば図１１に示されるように、第２の内蓋２２を第１の内蓋２１に近接させる。次に、図１１に示されるような状態で、第１係合部２１ａ１と第２係合部２２ａ１とが係合するように第２の内蓋２２を移動させると、図１２に示されるように第１係合部２１ａ１と第２係合部２２ａ１とが当接し、次第に、図１３に示されるように第１係合部２１ａ１と第２係合部２２ａ１とが係合して第２の内蓋２２が第１の内蓋２１に取り付けられることとなる。
【００３５】
一方で、例えば図１３に示されるように第１係合部２１ａ１と第２係合部２２ａ１とが係合した状態で、使用者が持ち手部２２ａを把持して紙面上方向に向かう力を加えることで、図１２に示されるような状態となり、次第に図１１に示されるように第１係合部２１ａ１と第２係合部２２ａ１との係合が解除されて第２の内蓋２２が第１の内蓋２１から取り外されることとなる。
【００３６】
以上のように、本実施の形態１に係る炊飯器１００は、上部に開口部１１Ａが設けられる有底筒状の内鍋１１と、内鍋１１を収納する本体１と、本体１に回動自在に取り付けられる蓋体２と、蓋体２の内面に取り付けられる内蓋２３と、を備え、内蓋２３は、本体１側に突出するフック部２１ａを有する第１の内蓋２１と、第１の内蓋２１よりも本体１側に位置するように第１の内蓋２１に取り付けられる第２の内蓋２２と、を有し、第２の内蓋２２が第１の内蓋２１に取り付けられていない状態で蓋体２が蓋体２の開放状態を基準として本体１を閉塞する方向に第１角度回動した場合に、フック部２１ａが本体１の一部に当接して蓋体２の回動が規制されるものである。このため、第２の内蓋２２が第１の内蓋２１に取り付けられていない状態で使用者が炊飯を開始する可能性を低減することができる。したがって、炊飯することで生じた結露水が被加熱物に滴下することを抑制することができる。
【００３７】
また、本実施の形態１に係る炊飯器１００は、第２の内蓋２２は持ち手部２２ａを有し、持ち手部２２ａは、第２の内蓋２２が第１の内蓋２１に取り付けられている状態で変位すると第２の内蓋２２が第１の内蓋２１から取り外されるように機能する。このため、使用者は、第２の内蓋２２が第１の内蓋２１に取り付けられている状態で、簡易な操作で第１の内蓋２１から第２の内蓋２２を取り外すことができる。
【００３８】
また、本実施の形態１に係る炊飯器１００は、フック部２１ａは第１傾斜部２１ａ２を有し、持ち手部２２ａは第２傾斜部２２ａ２を有している。このため、第２の内蓋２２が第１の内蓋２１に取り付けられている状態で、使用者が持ち手部２２ａを把持して第２の内蓋２２を第１の内蓋２１から取り外す場合に必要となる力を低減することができる。
【００３９】
実施の形態２．
本実施の形態２においては、実施の形態１とは異なるようにフック部２１ａを構成したものである。なお、本実施の形態２において、特に記述しない項目については実施の形態１と同様とし、同一の機能や構成については同一の符号を用いて述べることとする。
【００４０】
図１４は本発明の実施の形態２に係る炊飯器１００の第１の内蓋２１と第２の内蓋２２との位置関係を示す図である。図１５は本発明の実施の形態２に係る炊飯器１００の第１の内蓋２１と第２の内蓋２２との位置関係を示す図である。図１６は本発明の実施の形態２に係る炊飯器１００の第１の内蓋２１と第２の内蓋２２との位置関係を示す図である。
【００４１】
図１４に示されるように、フック部２１ａは第１係合部２１ａ１及びレバー部２１Ａを有する部材であり、例えば、側面視して略Ｕ字形状となるように構成されている。持ち手部２２ａは第２係合部２２ａ１を有する部材であり、例えば、側面視して略Ｕ字形状となるように構成されている。第１係合部２１ａ１は第２係合部２２ａ１と係合する部位である。第２係合部２２ａ１は第１係合部２１ａ１と係合する部位である。
【００４２】
以下に、本実施の形態２に係る炊飯器１００の動作例について説明する。
まず、第１の内蓋２１が蓋体２に取り付けられた状態で、例えば図１４に示されるように、第２の内蓋２２を第１の内蓋２１に近接させる。次に、図１４に示されるような状態で、第１係合部２１ａ１と第２係合部２２ａ１とが係合するように第２の内蓋２２を移動させると、図１５に示されるように第１係合部２１ａ１と第２係合部２２ａ１とが当接し、次第に、図１６に示されるように第１係合部２１ａ１と第２係合部２２ａ１とが係合して第２の内蓋２２が第１の内蓋２１に取り付けられることとなる。
【００４３】
一方で、例えば図１６に示されるように第１係合部２１ａ１と第２係合部２２ａ１とが係合した状態で、使用者がレバー部２１Ａを把持して紙面左側に向かう力を加えることで、図１５に示されるような状態となり、次第に図１４に示されるように第１係合部２１ａ１と第２係合部２２ａ１との係合が解除されて第２の内蓋２２が第１の内蓋２１から取り外されることとなる。
【００４４】
以上のように、本実施の形態２に係る炊飯器１００は、レバー部２１Ａは、第２の内蓋２２が第１の内蓋２１に取り付けられている状態で回動すると第２の内蓋２２が第１の内蓋２１から取り外されるように機能する。このため、使用者は、第２の内蓋２２が第１の内蓋２１に取り付けられている状態で、簡易な操作で第１の内蓋２１から第２の内蓋２２を取り外すことができる。
【００４５】
なお、本実施の形態２においては、持ち手部２２ａが設けられる例について説明したが、これに限定されるものではない。持ち手部２２ａが図示のように把持できるような形状でなっていなくともよく、第２係合部２２ａ１を有する部材で構成されていればよい。このように構成した場合においても、第２の内蓋２２を第１の内蓋２１に取り付ける場合において第１係合部２１ａ１と第２係合部２２ａ１とを係合することができ、第２の内蓋２２を第１の内蓋２１から取り外す場合において第１係合部２１ａ１と第２係合部２２ａ１との係合を解除することができる。
【００４６】
また、第２の内蓋２２が第１の内蓋２１に取り付けられた状態で、使用者がレバー部２１Ａを容易に把持できるように、レバー部２１Ａの突出量を確保しておくことが望ましい。具体的には、レバー部２１Ａは、第１係合部２１ａ１と第２係合部２２ａ１とが係合した状態でレバー部２１Ａの下端が持ち手部２２ａの下端よりも下方に位置するように構成することが望ましい。このようにすれば、使用者がレバー部２１Ａを把持する場合に、持ち手部２２ａが妨げとなる可能性を低減することができる。
【００４７】
実施の形態３．
本実施の形態３においては、実施の形態１とは異なり、フック部２１ａが第１の内蓋２１の下面において第１の内蓋２１の前後方向に移動自在に設けられているものである。なお、本実施の形態３において、特に記述しない項目については実施の形態１と同様とし、同一の機能や構成については同一の符号を用いて述べることとする。
【００４８】
図１７は本発明の実施の形態３に係る炊飯器１００の第１の内蓋２１と第２の内蓋２２との位置関係を示す図である。図１８は本発明の実施の形態３に係る炊飯器１００の第１の内蓋２１と第２の内蓋２２との位置関係を示す図である。図１９は本発明の実施の形態３に係る炊飯器１００の第１の内蓋２１と第２の内蓋２２との位置関係を示す図である。
【００４９】
図１７に示されるように、フック部２１ａは紙面左右方向にスライド自在に構成されている部材であり、第１係合部２１ａ１及び第１傾斜部２１ａ２を有する。持ち手部２２ａは第２係合部２２ａ１及び第２傾斜部２２ａ２を有する部材であり、例えば、側面視して略Ｕ字形状となるように構成されている。第１係合部２１ａ１は第２係合部２２ａ１と係合する部位である。第１傾斜部２１ａ２は、紙面左方向に向かって紙面上方向に傾斜する部位である。第２係合部２２ａ１は第１係合部２１ａ１と係合する部位である。第２傾斜部２２ａ２は、紙面左方向に向かって紙面上方向に傾斜する部位である。
【００５０】
以下に、本実施の形態３に係る炊飯器１００の動作例について説明する。
まず、第１の内蓋２１が蓋体２に取り付けられた状態で、例えば図１７に示されるように、第２の内蓋２２を第１の内蓋２１に近接させる。次に、図１７に示されるような状態で、第１係合部２１ａ１と第２係合部２２ａ１とが係合するように第１の内蓋２１を移動させると、図１８に示されるように第１係合部２１ａ１と第２係合部２２ａ１とが当接し、次第に、図１９に示されるように第１係合部２１ａ１と第２係合部２２ａ１とが係合して第２の内蓋２２が第１の内蓋２１に取り付けられることとなる。
【００５１】
一方で、図１９に示されるように第１係合部２１ａ１と第２係合部２２ａ１とが係合した状態で、使用者がレバー部２１Ａを把持してレバー部２１Ａに対して紙面左方向に向かう力を加えることで、図１８に示されるような状態となる。そして、使用者が、第２の内蓋２２を紙面上方に向かうように移動させ、その後、レバー部２１Ａに対して紙面左方向に加わる力を解放すると、次第に図１７に示されるように第１係合部２１ａ１と第２係合部２２ａ１との係合が解除され、第２の内蓋２２が第１の内蓋２１から取り外されることとなる。
【００５２】
以上のように、本実施の形態３に係る炊飯器１００は、フック部２１ａが、第１の内蓋２１の下面において第１の内蓋２１の前後方向に移動自在に設けられ、第２の内蓋２２が第１の内蓋２１に取り付けられている状態で基準量だけ内蓋２３の後方に変位すると第２の内蓋２２が第１の内蓋２１から取り外されるように機能する。このため、使用者は、第２の内蓋２２が第１の内蓋２１に取り付けられている状態で、簡易な操作で第１の内蓋２１から第２の内蓋２２を取り外すことができる。
【符号の説明】
【００５３】
１  本体、２  蓋体、８  蓋開閉ボタン、１１  内鍋、１１Ａ  開口部、１１ａ  内鍋フランジ、２１  第１の内蓋、２１Ａ  レバー部、２１ａ  フック部、２１ａ１  第１係合部、２１ａ２  第１傾斜部、２２  第２の内蓋、２２Ａ  立ち上がり部、２２ａ  持ち手部、２２ａ１  第２係合部、２２ａ２  第２傾斜部、２３  内蓋、４０，５０  表示部、１００  炊飯器、２１１  レバー押さえ、２１２  弾性体、２１３  台座、２１４  シールパッキン、２１５  第２の内蓋ホルダー、２２１  バルブ、２２２  第２の内蓋リング、２２３  挿入部。
【図１】
0006410647.tif 000002
【図２】
0006410647.tif 000003
【図３】
0006410647.tif 000004
【図４】
0006410647.tif 000005
【図５】
0006410647.tif 000006
【図６】
0006410647.tif 000007
【図７】
0006410647.tif 000008
【図８】
0006410647.tif 000009
【図９】
0006410647.tif 000010
【図１０】
0006410647.tif 000011
【図１１】
0006410647.tif 000012
【図１２】
0006410647.tif 000013
【図１３】
0006410647.tif 000014
【図１４】
0006410647.tif 000015
【図１５】
0006410647.tif 000016
【図１６】
0006410647.tif 000017
【図１７】
0006410647.tif 000018
【図１８】
0006410647.tif 000019
【図１９】
0006410647.tif 000020